(57)【要約】【課題】  日ごとにメモ記入スペースを設けた一ヶ月分の日ごと枠を、各曜日を揃えて全体を一度に目視可能に配列したカレンダーで、各日ごと枠に日付とメモ記入スペースとを設けたものにおいて、メモ記入スペースを大幅に拡大する。【解決手段】  日ごとにメモ記入スペースを設けた一ヶ月分の日ごと枠を、各曜日を揃えて全体を一度に目視可能に配列したカレンダーであって、各日ごと枠内に日付とメモ記入スペースとを設けたものにおいて、各週の日付の並び方向の延長上に伸びる追加メモ用紙が連接され、この追加メモ用紙は各週毎にその週の日数に対応するスペースに補助線で分割され、これら補助線で分割された各スペースにこの週の日付が付されている。【選択図】  図１
2019206107.tif 000002
【特許請求の範囲】
【請求項１】
日ごとにメモ記入スペースを設けた一ヶ月分の日ごと枠を、各曜日を揃えて全体を一度に目視可能に配列したカレンダーであって、各日ごと枠内に日付とメモ記入スペースとを設けたものにおいて、
各週の日付の並び方向の延長上に伸びる追加メモ用紙が連接され、この追加メモ用紙は各週毎にその週の日数に対応するスペースに補助線で分割され、これら補助線で分割された各スペースにこの週の日付が付されている、ことを特徴とするカレンダー。
【請求項２】
一ヶ月分の日ごと枠は、各曜日を縦に揃えて一週間毎に水平に並べられ、追加メモ用紙は右端の曜日に対応する日ごと枠の右側に連接されている請求項１のカレンダー。
【請求項３】
綴り部で綴ったページを左右に開閉可能な手帳に適用するカレンダーであって、左右ページを開いた状態で現れる一ヶ月分のカレンダーが一度に目視可能であり、両ページに亘って各週毎の日ごと枠が並べられ、右ページの小口側に展開/収納可能な追加メモ用紙が連接され、この追加メモ用紙は左右ページに亘る各週毎にその週の日数に対応する補助線で分割され、これらの補助線で分割された各スペースの左端にこの週の日付が付されている請求項２のカレンダー。
【請求項４】
左ページには連続する４日分の曜日を持つ縦列が、右ページには残りの３日分の曜日を持つ縦列が設けられ、追加メモ用紙は右ページの裏側に折り返されて右ページを左ページの上に閉じ重ねた時に右ページの表側に追加メモ用紙が現れる請求項３のカレンダー。
【発明の詳細な説明】
【技術分野】
【０００１】
この発明は、日ごとに分けた一ヶ月分の日ごと枠を、各週の曜日を揃えて全体を一度に目視可能に配列したカレンダーであって、それぞれの日ごと枠には日付とメモ記入スペースとを設けたものに関するものである。
【背景技術】
【０００２】
日付とメモ記入スペースとを持つ一ヶ月分の日ごと枠を、各週の曜日を揃えて全体を一度に目視可能に配列したカレンダーが公知である。例えば、特許文献１の図１０、段落０００３〜０００７には、手帳の開いた左右ページに亘って１ヶ月分のカレンダーを表示した手帳が開示されている。このカレンダーでは、左右の両ページをそれぞれ縦に４列に分割し、左ページの左から縦長のメモ欄（１０５）と、日曜〜火曜の日ごと枠（日付毎の書き込み欄１０３）を縦に並べ、右ページに水曜〜土曜の日ごと枠を縦に並べたものである。すなわち左右のページをそれぞれ４列に分け、左ページの左端の余白上部に月数をその下方をメモ欄（１０５）としたものである。
【０００３】
この場合にはカレンダーの使用者によっては、日ごと枠（日付毎の書き込み欄１０３）およびメモ欄（１０５）のスペースでは不十分になる場合がある。例えば、定期的に通院が必要な人や、薬剤の飲用日や時間が決まっている人、あるいは仕事が忙しくて日ごとの予定がいっぱい詰まっている人等では、各日ごと枠にあるメモ記入スペースや月数の表示下方のメモ欄（１０５）だけでは書き切れない場合がある。
【０００４】
そこでこの特許文献１では、このように並べた一ヶ月分の日ごと枠の外側、例えばカレンダー台紙（手帳のページ用紙５）の日ごと枠（日付毎の書き込み欄１０３）の配列方向両側（左右両側、小口側）に、両側から台紙側に折り返し可能な追加メモ用紙（折り返し片９）を設け、左の追加メモ用紙（９ａ）を裏側に（左ページの下側に）折り返し、右の追加メモ用紙（９ｂ）を手前側（右ページの表側）に折り返して、収納可能にしたものを提案している（特許文献１の図１〜９）。
【０００５】
すなわち、左の裏側に折り返す追加メモ用紙（９ａ）の裏側上部には、前の月の月数などを表示してその下方を前の月の追加メモを記入可能にしている（図２など）。また右の表側に折り返す追加メモ用紙（９ｂ）の綴り側（手帳の左右ページを開閉可能に綴っている綴り側、折り曲げ線６）に土曜の日ごと枠を縦に並べると共に、その表紙上部には、この月の月数などを表示してその下方にこの月の追加メモを記入可能にしている。
【０００６】
この場合に、左のページには日曜〜火曜の３列を並べ、右ページには水曜〜金曜の３列を並べ、さらに右の追加メモ用紙（９ｂ）の表側にこのように各月の日ごと枠の中に記入しきれない追加のメモを、左右の追加メモ用紙に記入可能にして、メモ記入スペースを拡大するものである。
【０００７】
一方近年、発達障害者（自閉症、アスペルガー症候群を中心とするＡＳＤ（広範性発達障害）者、ＬＤ（学習障害）、ＡＤＨＤ（注意欠陥多動性障害）、その他これに類する脳機能の障害者など）に対する就労上の困難性と具体的対策が考慮されるようになってきている（非特許文献１）。そのような例として、発達障害者が仕事の予定や手順、あるいはメモなどを自ら記録して確認しやすくしたカレンダーの出現が待たれていた。
【０００８】
また、作業や仕事に対して、携帯電話の画像や音声を使ってビジュアル化し、遅刻防止や休憩時間などの時間管理や、余暇利用のスケジュール管理等に活用できるようにすることも提案されている。（非特許文献２）。しかし、携帯電話を使うことには、以下の２つの問題がある。すなわち、通常の用紙を用いたカレンダーよりも一般に高額であると云う点と、電波障害の問題が生じる恐れがあるために病院で安全に使用できなくなる、と云う問題である。
【０００９】
なお発達障害者数は、平成26年10月の推計値によると日本で、およそ１９万５千人といわれ（非特許文献３）、上記の問題は今後ますます重視されるものと思われる。
【先行技術文献】
【特許文献】
【００１０】
【特許文献１】特開２０１５−１４７３８３号公報
【非特許文献】
【００１１】
【非特許文献１】「日本労働研究雑誌」、Ｎo.685/August 2017  57頁，60-61頁、梅永雄二著  『発達障害者の就労上の困難性と具体的対策─ASD 者を中心に』特集「障害者雇用の変化と法政策・職場の課題」（http://www.jil.go.jp/institute/zassi/backnumber/2017/08/index.html）
【非特許文献２】「支援機器が拓く新たな可能性 〜我が国の支援機器の現状と課題〜 」２００８年３月 生活支援技術革新ビジョン勉強会報告  厚生労働省 社会・援護局  4１頁。（http://www.mhlw.go.jp/stf/seisakunitsuite/bunya/hukushi_kaigo/shougaishahukushi/yogu/index.html）
【非特許文献３】『発達障害者支援に関する行政評価・監視  結果報告書』  平成29年1月  総務省行政評価局  １２頁、表1-(7) 厚生労働省の「患者調査」及び「精神保健福祉資料調査」の結果による発達障害者の数 患者調査（推計値）（平成26年10月の時点で195,000人）（http://www.soumu.go.jp/menu_news/s-news/110614.html）
【発明の概要】
【発明が解決しようとする課題】
【００１２】
この発明はこのような事情に鑑みなされたものであり、日ごとにメモ記入スペースを設けた一ヶ月分の日ごと枠を、各曜日を揃えて全体を一度に目視可能に配列したカレンダーであって、各日ごと枠に日付とメモ記入スペースとを設けたものにおいて、メモ記入スペースを大幅に拡大して、例えば、定期的に通院が必要な人や、薬剤の飲用日や時間が決まっている人、あるいは仕事が忙しくて日ごとの予定がいっぱい詰まっている人等でも、各大量のメモを書き込め、また時間の管理等に困難性を抱えている発達障害者（ＡＳＤ等）にとっても使いやすく、安価であり、病院内などで障害となる電波を発生する恐れが無いカレンダーを提供することを目的とする。
【課題を解決するための手段】
【００１３】
この発明によればこの目的は、日ごとにメモ記入スペースを設けた一ヶ月分の日ごと枠を、各曜日を揃えて全体を一度に目視可能に配列したカレンダーであって、各日ごと枠内に日付とメモ記入スペースとを設けたものにおいて、各週の日付の並び方向の延長上に伸びる追加メモ用紙が設けられ、この追加メモ用紙を、その週の日数に対応するスペースに補助線で分割し、これら補助線で分割された各スペースの先頭にこの週の日付が付されている、ことを特徴とするカレンダー、により達成される。すなわちメモ記入スペースを持つ日ごと枠により形成する第１のカレンダーと、追加メモ用紙で構成した第２のカレンダーとを備えるものである。
【発明の効果】
【００１４】
本発明は、共にメモ記入可能な第１および第２のカレンダーを有することにより、メモ記入スペースを大幅に拡大することができ、メモ記入総量を大幅に増やすことができ、大量のメモを記入する必要がある場合に便利である。また第２のカレンダーは、各週毎にその週の日数に対応するスペースに分割し、各スペースの例えば先頭にこの週の日付を付しているので、発達障害者でも日ごとのメモの日付を確認しやすくなり、記載事項の間違いを防ぎ易くなり、記入しやすくなる効果が得られる。
【００１５】
例えば、定期的に通院が必要な人や、薬剤の飲用日や時間が決まっている人、あるいは仕事が忙しくて日ごとの予定がいっぱい詰まっている人等でも、多量のメモを書き込むことができる。病院へ通院する日時や投薬日・時間などの病気治療関係のメモは、第２のカレンダーに書き込む一方、それ以外の仕事等の予定は第１のカレンダーに書き込む、と云うように用途別に書き分けておくことができる。また時間の管理等に困難性を抱えている発達障害者（ＡＳＤ等）にとっても使いやすく安価であり、病院内などで障害となる電波を発生する恐れも無い。
【００１６】
なお前記特許文献１を含めた公知の手帳は、一般的に小型であり、手帳の紙片が薄いためにメモなどを書き込みにくいという問題もあるが、本発明によれば手帳にした場合であっても追加メモを書き込む十分なスペースを確保することが可能になり、このような問題を解決することが可能である。
【図面の簡単な説明】
【００１７】
【図１】本発明の一実施例を示す表側の斜視図
【図２】本発明を手帳に適用した他の実施例を示す斜視図
【発明を実施するための形態】
【００１８】
一ヶ月分の日ごと枠は、各曜日を縦に揃えて一週間毎に水平に並べ、追加メモ用紙は右端の曜日に対応する日ごと枠の右側に連接したものとすることができる（請求項２）。このように各週を横並びにすれば、全体を一度に見やすくなり、日ごと枠からなる第１のカレンダーに書き込みやすいだけでなく、追加メモ用紙は右側に連接されているので、ここに設けた第２のカレンダーも各週毎に補助線で画成された日ごとのスペースに記入しやすく、また見やすくなる。
【００１９】
このカレンダーは左右開きの手帳に適用することができる（請求項３）。この場合、手帳を開いた左右ページに亘って第１のカレンダーを表示し、右側のページの小口側に連接した第２のカレンダーをこの右ページの表側に折り返して展開/収納可能とするのがよい（請求項３）。
【００２０】
たとえば、左ページには連続する４日分の曜日（例えば、日曜〜水曜）を持つ縦列を、右ページには残りの３日分の曜日（例えば、木曜〜土曜）を持つ縦列を設け、追加メモ用紙は右ページの裏側に折り返して右ページを左ページの上に閉じ重ねた時に右ページの表裏側に追加メモ用紙が現れるようにすることができる（請求項４）。この場合に右ページの小口側に連接した追加メモ用紙が左ページの右側の３列（月曜〜水曜）を隠すことになり、左ページの左端に露出した列（日曜）が第２のカレンダーの日付に隣接することになり、第１のカレンダーと第２のカレンダーの対応する日付位置を間違えることがない。
【００２１】
このように追加メモ用紙を折り込んだ状態では、追加メモ用紙は右ページの裏に重なり、この右ページは左ページの表に重なることになるので、この第２のカレンダーの下に左右ページが台紙となって支持されることになり、メモを書き込みやすくなる。
【実施例１】
【００２２】
図１において、符号１０は一月分のカレンダーであり、このカレンダー１０は例えばＡ４サイズの用紙を横長にした台紙１２に表示したものである。この台紙１２には、８個の矩形の日ごと枠１４からなる１週間分の行（週行）１６が平行に６列表示されている。ここに１週間分の各行１６は、台紙１２の左端に揃えられ、各週の曜日が縦の列１８に揃えられている。また各列１８は、左から順に日、月、火、水、木、金、土の各曜日に対応する。
【００２３】
各行１６の各日ごと枠１４の左上には日付２０が記入され、それ以外の開いた空間がメモ記入スペース２２となっている。なお一ヶ月は最大３１日であるから、週の行１６は５列あれば足りるのであるが、これを６行にしたのは、第１週の最初の日曜〜火曜の位置にその月の表示２４を入れたからである。
【００２４】
台紙１２の右側は右側に拡大されこの拡大部分が追加メモ用紙２６となっている。すなわちこの追加メモ用紙２６は、各行１６の日付の並び方向（水平方向）の延長上に伸びるように連接されている。この追加メモ用紙２６には各週を仕切る横線２８が水平に記載され、各週を仕切る横線２８の間が、その週の日数に対応する追加メモ記入用スペース３０に補助線３２で分割され、これら補助線３２で分割された水平方向に長い各スペース３０の左端にこの週の日付を示す数字３４が付されている。
【００２５】
なお最後の週を含む行１６内で金曜と土曜の列１８に対応する２つの日ごと枠１４には、このカレンダー表示月（２０１８年１２月）の前後の月（前年の１１月と該当年の１月）のカレンダー３６、３８が表示されている。なおこれらのカレンダー３６、３８はメモの記入ができないものでよく、次の月のカレンダー３８だけでもよい。これらのカレンダー３６，３８は最初の週やカレンダー表示月２４の後に入れてもよい。
また各列１８の上方には、行１６の枠外に各列１８の曜日（日曜〜土曜）が記入されている。
【００２６】
このカレンダー１０によれば、月の日ごとに用意された日ごと枠１４で構成される第１のカレンダーの中に、対応する日付２０のメモ記入スペース２２に当日の予定、メモや行動記録などを書き込むことができる。たとえば、通院の予定、投薬の種類、投薬時間、等はここに書き込むことができる。
【００２７】
また、この記入スペース２２に書き込み切れない予定などは、追加メモ記入用スペース３０で構成される第２のカレンダーに記入することができる。例えば、週のうち数日間連続して通う必要がある予定などは、このスペース３０が横長でこの週の日付順に上下に並列しているので、この構成の特徴を利用して簡単に記入でき、またメモの内容を確認し易く、メモの日付を確認しやすくなる。従って、発達障害者などの障害を持つ人でも記載事項の理解を間違えにくくなる。
【実施例２】
【００２８】
図２は、実施例１のカレンダー１０を手帳５０に適用した実施例を示す。なおこの手帳５０のカレンダー１０Ａでは、前記図１に示すカレンダー１０と対応する部分に符号「Ａ」を付して同一符号を付しておくので、その説明は繰り返さない。
【００２９】
この手帳５０は、綴り部５２で綴った左右のページ５４（５４ａ、５４ｂ）を左右に開閉可能であり、両ページ５４ａ、５４ｂを開いた状態で左右に現れる一ヶ月分のカレンダー１０Ａを一度に目視可能である。このカレンダー１０Ａは本発明の第１のカレンダーとなる。右のページ５４ｂの小口側には展開/収納可能な追加メモ用紙２６Ａが連接されている。この追加メモ用紙２６Ａには本発明の第２のカレンダーが表示される。
【００３０】
すなわち、左ページ５４ａには連続する４日分の曜日（日曜〜水曜）を持つ縦列１８Ａが、右ページ５４ｂには残りの３日分の曜日（木曜〜土曜）を持つ縦列１８Ａが設けられている。追加メモ用紙２６Ａは、矢印５６に示すように右ページ５４ｂの裏側に折り返して、右ページ５４ｂを矢印５８に示すように左ページ５４ａの上に閉じ重ねることができ、この状態で右ページ５４ｂの表側に追加メモ用紙２６Ａの表側が現れる。なおこの追加メモ用紙２６Ａは右ページ５４ｂと同じ幅で有り、折り込んだ時に手帳の幅内に収まるようにするのが良い。
【００３１】
この追加メモ用紙２６Ａには、第２のカレンダーが表示される。すなわち前記図１で示したように、各週を仕切る横線２８Ａが水平に記載されている。またこの横線２８Ａで区切られたスペースは、左右ページ５４ａ、５４ｂに亘る各週毎にその週の日数に対応する補助線３２Ａで分割され、これらの補助線３２Ａで分割された各スペース３０Ａが追加メモを記入するスペースとなっている。各スペース３０Ａの左端にこの週の日付３４Ａが付されている。
【００３２】
この手帳において、他の適宜ページには図２と同様の異なる月のカレンダーが表示され、その右ページの小口側には追加メモ用紙が連接されて、この右ページの裏側に折り込まれている。
【００３３】
この手帳によれば、右ページ５４ｂを左ページ５４ａに折り重ねて追加メモ用紙２６Ａを右ページ５４ｂの裏側に折り返せば、この追加メモ用紙２６Ａの左端縁が左ページ５４ａの（日曜である）左端の縦列１８Ａに近接することになる。このためこの日曜の日付２０Ａが追加メモ用紙２６Ａの各週の初めの日にちを容易に確認でき、記入するメモなどの週を間違えにくくなり、非常に便利である。
【符号の説明】
【００３４】
１０  カレンダー
１２  台紙
１４  日ごと枠
１６  １週間分の行
１８、１８Ａ  各週の曜日が縦に配列された列
２０、２０Ａ  日付
２２、２２Ａ  メモ記入スペース
２４  カレンダーの表示月
２６、２６Ａ  追加メモ用紙
２８、２８Ａ  各週を仕切る横線
３０、３０Ａ  追加メモ記入用スペース
３２、３２Ａ  補助線
３４、３４Ａ  日付
３６  前の月のメモ記入できないカレンダー
３８  後の月のメモ記入できないカレンダー
５０  手帳
５２  綴り部
５４（５４ａ、５４ｂ）  ページ
５６  矢印（追加メモ用紙２６Ａの折り返し方向を示す。）
５８  矢印（右ページを左ページに閉じ重ねる方向を示す。）
【図１】
2019206107.tif 000003
【図２】
2019206107.tif 000004